(57)【特許請求の範囲】
【請求項１】
感光媒体に画像を転写するプリントユニットであって、
光を遮断する第１の遮断部材と、
前記第１の遮断部材の前記感光媒体と対向する面に設けられ、発光により第１の画像を形成する第１の面発光体と、
前記第１の遮断部材の他方の面に設けられ、発光により第２の画像を形成する第２の面発光体と、
前記第２の面発光体において前記第１の遮断部材と対向する面と反対側の面に設けられ、光を遮断する第２の遮断部材と、
前記第１および第２の面発光体および前記第１および第２の遮断部材を制御する制御部と
を備え、
前記第１の遮断部材は、光を選択的に透過または遮断する第１の液晶シャッタと、前記第１の液晶シャッタを開くことにより光を透過させるとともに、前記第１の液晶シャッタを閉じることにより光を遮断する第１のシャッタ制御部とを有し、
前記第２の遮断部材は、光を選択的に透過または遮断する第２の液晶シャッタと、前記第２の液晶シャッタを開くことにより光を透過させるとともに、前記第２の液晶シャッタを閉じることにより光を遮断する第２のシャッタ制御部とを有し、
前記制御部は、
前記第１の面発光体により形成された画像のみを前記感光媒体に転写する場合に、前記第１のシャッタ制御部により前記第１の液晶シャッタを閉じ、
前記第１および第２の面発光体により形成された前記画像を合成して前記感光媒体に転写する場合には、前記第２のシャッタ制御部により前記第２の液晶シャッタを閉じ、前記第１のシャッタ制御部により前記第１の液晶シャッタを開くことを特徴とするプリントユニット。
【請求項２】
感光媒体に画像を転写するプリントユニットであって、
光を遮断する第１の遮断部材と、
前記第１の遮断部材の前記感光媒体と対向する面に設けられ、発光により第１の画像を形成する第１の面発光体と、
前記第１の遮断部材の他方の面に設けられ、発光により第２の画像を形成する第２の面発光体と、
前記第１の面発光体において前記感光媒体と対向する面に設けられ、光を遮断する第２の遮断部材と、
前記第１および第２の面発光体および前記第１および第２の遮断部材を制御する制御部と
を備え、
前記第１の遮断部材は、光を選択的に透過または遮断する第１の液晶シャッタと、前記第１の液晶シャッタを開くことにより光を透過させるとともに、前記第１の液晶シャッタを閉じることにより光を遮断する第１のシャッタ制御部とを有し、
前記第２の遮断部材は、光を選択的に透過または遮断する第２の液晶シャッタと、前記第２の液晶シャッタを開くことにより光を透過させるとともに、前記第２の液晶シャッタを閉じることにより光を遮断する第２のシャッタ制御部とを有し、
前記制御部は、
前記第１の面発光体により形成された画像を前記感光媒体に転写する場合に、前記第１のシャッタ制御部により前記第１の液晶シャッタを閉じ、前記第２のシャッタ制御部により前記第２の液晶シャッタを開き、
前記第２の面発光体が発する光のみを外部に放出する場合には、前記第１のシャッタ制御部により前記第１の液晶シャッタを閉じ、
前記第１および第２の面発光体が発する各々の光を外部に放出する場合には、前記第２のシャッタ制御部により前記第２の液晶シャッタを閉じ、前記第１のシャッタ制御部により前記第１の液晶シャッタを開くことを特徴とするプリントユニット。
【請求項３】
前記プリントユニットは、さらに、
前記感光媒体と第１の面発光体とが互いに密着するように付勢する付勢部
を備える請求項１に記載のプリントユニット。
【請求項４】
前記プリントユニットは、さらに、
複数の前記感光媒体を重ねて収容し、複数の前記感光媒体の最外層に遮光シートを収容したフィルムカセットを格納する筐体
を備え、
前記付勢部は、少なくとも１つの前記感光媒体と前記第１の面発光体とが少なくとも１部の領域で密着するように付勢する請求項１に記載のプリントユニット。
【請求項５】
前記プリントユニットは、さらに、
前記感光媒体と第２の液晶シャッタとが互いに密着するように付勢する付勢部
を備える請求項２に記載のプリントユニット。
【請求項６】
前記プリントユニットは、さらに、
複数の前記感光媒体を重ねて収容し、複数の前記感光媒体の最外層に遮光シートを収容したフィルムカセットを格納する筐体
を備え、
前記付勢部は、少なくとも１つの前記感光媒体と第２の液晶シャッタとが少なくとも１部の領域で密着するように付勢する請求項２に記載のプリントユニット。
【発明の詳細な説明】
【０００１】
【発明の属する技術分野】
本発明は、プリントユニットに関する。特に本発明は、撮像装置等に用いられるプリントユニットに関する。
【０００２】
【従来の技術】
プリンタにおいてＥＬ（エレクトロルミネッセンス）素子を用いて感光媒体に画像を転写する方法が、特開平１１−３２０９５８号公報及び特開平９−１６０１１５号公報に開示されている。特開平１１−３２０９５８号公報に開示されたプリンタは、有機ＥＬ素子を１ライン分発光させることにより感光材料を１ライン分露光する。１ライン分の感光材料の露光が終了した後、副走査手段で感光材料を１ライン分移動させることにより、次の１ラインの感光材料を露光する。一方、特開平９−１６０１１５号公報に開示されたプリンタは、２つのシャッター部材の間にＥＬ装置が挟まれるように積層された積層構造のＥＬ装置を有する。
【０００３】
また、特開平１０−９３９０６号公報には、プリンタを設けた電子カメラが開示されている。この電子カメラは、ユーザから見られる位置と感光媒体へ印刷する位置との間に移動可能な表示手段を有する。印刷位置において、表示手段がプリンタの露光に用いられる。
【０００４】
【発明が解決しようとする課題】
しかし、特開平１１−３２０９５８号公報に開示されたカラープリンタは、感光材料を１ライン分ずつ露光するので感光媒体に画像を印刷するのに長い時間がかかった。更に、感光材料を移動する副走査手段が必要なためプリンタを小型化することが困難であった。また、特開平９−１６０１１５号公報に開示された情報写しこみ装置は、第１のシャッター部材又は第２のシャッター部材を交互に開閉するように作動が制御されているので、プリンタの外部へ画像を表示しつつ、同時に感光媒体に画像を転写することが困難であった。
【０００５】
また、特開平１０−９３９０６号公報に開示される電子カメラにあっては、表示手段を機械的に移動させる必要があるために、構造的に複雑になる。また、表示手段をプリンタの露光として使用せずユーザに見せる場合に表示手段をプリンタから退避させる空間が必要であり、装置が大型になる。
【０００６】
また、上記いずれのプリンタにおいても、画像が転写されるときに画像の歪が生じやすかった。
【０００７】
そこで本発明は、上記の課題を解決することのできるプリントユニットを提供することを目的とする。この目的は特許請求の範囲における独立項に記載の特徴の組み合わせにより達成される。また従属項は本発明の更なる有利な具体例を規定する。
【０００８】
【課題を解決するための手段】
即ち、本発明の第１の形態によると、感光媒体に画像を転写するプリントユニットであって、光を遮断する遮断部材と、前記遮断部材の一方の面に設けられ、発光により第１の画像を形成する第１の面発光体と、前記遮断部材の他方の面に設けられ、発光により第２の画像を形成する第２の面発光体と、前記第１および第２の面発光体の発光を制御し、前記第１および第２の面発光体に形成された前記第１および第２の画像のうち、少なくとも一方の画像を前記感光媒体に転写する制御部とを備えた。
【０００９】
前記プリントユニットにおいて、前記第１の面発光体及び前記第２の面発光体の少なくとも一方は、ＥＬ発光体を含んでもよい。
【００１０】
前記プリントユニットにおいて、前記制御部は、前記第１の面発光体及び前記第２の面発光体を個別に制御してもよい。
【００１１】
前記プリントユニットにおいて、前記制御部は、前記第１の面発光体を制御する第１の制御回路と、前記第２の面発光体を制御する第２の制御回路とを有してもよい。
【００１２】
前記プリントユニットにおいて、前記制御部が、前記第１、２の面発光体の各々の表示、発光、又は電源供給のＯＮ、ＯＦＦのいずれかを切り替える切替部を有してもよい。
【００１３】
前記プリントユニットにおいて、被写体を撮像し、撮像した画像を前記制御部に供給する撮像部をさらに備え、前記第２の面発光体は、前記被写体に対向する面に配置され、前記制御部は、前記第１および第２の面発光体の少なくとも一方の面発光体を発光させてもよい。
【００１４】
前記プリントユニットにおいて、前記遮断部材は、光を選択的に透過または遮断する第１の液晶シャッタと、前記第１の液晶シャッタを開くことにより光を透過させるとともに、前記第１の液晶シャッタを閉じることにより光を遮断する第１のシャッタ制御部とを有し、前記制御部は、前記第１のシャッタ制御部により前記第１の液晶シャッタを開き、前記第１および第２の面発光体の両方を発光させてもよい。
【００１５】
前記プリントユニットにおいて、前記感光媒体と対向する面に設けられるとともに、光を選択的に遮断する第２の液晶シャッタと、前記第２の液晶シャッタを閉じることにより光を遮断する第２のシャッタ制御部とをさらに備え、前記制御部は、前記第１および第２の面発光体の両方を発光する場合に、前記第２のシャッタ制御部により前記第２の液晶シャッタを閉じてもよい。
【００１６】
前記プリントユニットにおいて、被写体を撮像し、撮像した画像を前記制御部に供給する撮像部をさらに備え、前記第２の面発光体は、前記被写体に対向する面と異なる面であって、前記感光媒体と対向する面に配置され、前記遮断部材は、光を選択的に透過または遮断する第１の液晶シャッタと、前記第１の液晶シャッタを開くことにより光を透過させるとともに、前記第１の液晶シャッタを閉じることにより光を遮断する第１のシャッタ制御部とを有し、前記制御部は、前記第１のシャッタ制御部により前記第１の液晶シャッタを開き、前記第１および第２の面発光体が形成する各々の前記画像を前記感光媒体に転写してもよい。
【００１７】
前記プリントユニットにおいて、前記第２の面発光体において前記第１の液晶シャッタと対向する面と反対側の面に設けられ、光を選択的に透過又は遮断する第２の液晶シャッタと、前記第２の液晶シャッタを開くことにより光を透過させるとともに、前記第２の液晶シャッタを閉じることにより光を遮断する第２のシャッタ制御部をさらに備え、前記制御部は、前記第１および第２の面発光体に形成された前記各々の画像を前記感光媒体に転写するときに、前記第２のシャッタ制御部により前記第２の液晶シャッタを閉じてもよい。
【００１８】
本発明の第２の形態によると、光を遮断する遮断部材と、前記遮断部材の一方の面に形成された第１の面発光体と、前記遮断部材の他方の面に形成された第２の面発光体とを備えた発光体を提供する。
【００１９】
本発明の第３の形態によると、感光媒体に画像を転写するプリントユニットであって、面発光体を有し、前記発光体に前記画像を形成することにより前記画像を一方の面から前記感光媒体に転写する面発光転写部と、前記感光媒体と前記面発光転写部の前記一方の面とが互いに密着するように付勢する付勢部とを備える。
【００２０】
前記プリントユニットは、前記付勢部が前記感光媒体と前記面発光転写部とが密着しないように付勢力を弱めるように制御する付勢力制御部をさらに備えてもよい。
【００２１】
前記プリントユニットにおいて、前記画像が転写された前記感光媒体を前記プリントユニットから排出するときに、前記制御部により前記付勢部を制御してもよい。
【００２２】
前記プリントユニットにおいて、前記面発光体は、ＥＬ発光体を有してもよい。
【００２３】
前記プリントユニットにおいて、前記面発光体は、ＥＣＬ発光体を有してもよい。
【００２４】
前記プリントユニットにおいて、前記面発光転写部は、前記一方の面に曲面を有してもよい。
【００２５】
前記プリントユニットにおいて、前記付勢部は、力学的に付勢する電磁石を有してもよい。
【００２６】
前記プリントユニットにおいて、前記付勢部は、弾性力により付勢力を発生させる弾性体を有してもよい。
【００２７】
前記プリントユニットにおいて、前記付勢部は、空気圧により付勢力を発生させる空気圧制御部を有してもよい。
【００２８】
前記プリントユニットにおいて、前記面発光転写部は、前記面発光体と前記感光媒体との間に配される第１の液晶シャッタを有し、前記第１の液晶シャッタのシャッタ速度及び前記面面発光体の発光時間を制御することにより前記感光媒体に転写される画像の階調を調整する第１のシャッタ制御部をさらに備えてもよい。
【００２９】
前記プリントユニットにおいて、前記面発光転写部は、前記面発光体において前記第１の液晶シャッタと反対側に配される第２の液晶シャッタをさらに有し、前記第１および第２の液晶シャッタを個別に制御する制御部を更に備えてもよい。
【００３０】
前記プリントユニットにおいて、前記制御部は、前記面面発光体が前記画像を前記プリントユニットの外部に表示するときに、前記第１の液晶シャッタを閉じ、前記第２の液晶シャッタを開いてもよい。
【００３１】
前記プリントユニットにおいて、前記制御部は、前記面発光体が前記画像を前記感光媒体に転写するときに、前記第１の液晶シャッタを開き、前記第２の液晶シャッタを閉じてもよい。
【００３２】
前記プリントユニットにおいて、前記面発光転写部は、前記面発光体において前記感光媒体と反対側に配され、光を遮断する遮断部材と、前記遮断部材において前記面発光体と反対側に配される第２の面発光体とをさらに有し、前記面発光体および前記第２の面発光体を個別に制御する制御部を更に備えてもよい。
【００３３】
前記プリントユニットにおいて、前記遮断部材は、光を選択的に透過又は遮断する液晶シャッタと、前記液晶シャッタを開くことにより光を透過させるとともに、前記液晶シャッタを閉じることにより光を遮断するシャッタ制御部とを有し、前記制御部は、前記シャッタ制御部により前記液晶シャッタを開き、前記面発光体および前記第２の面発光体の両方を発光させてもよい。
【００３４】
本発明の第４の形態によれば、複数の感光媒体を重ねて収容し、前記複数の感光媒体の最外層に遮光シートを収容したフィルムカセットを格納する筐体と面発光体を有し、一方の面が前記フィルムカセットの前記遮光シートに対向するように配置される面発光転写部と、前記面発光転写部の前記一方の面と少なくとも１つの前記感光媒体とが少なくとも１部の領域で密着するように付勢する付勢部とを備える。
【００３５】
前記プリントユニットは、前記フィルムカセットが前記プリントユニットから排出されるときに、付勢する力を弱めるように前記付勢部を制御する付勢力制御部をさらに備えてもよい。
【００３６】
前記プリントユニットは、前記フィルムカセットが前記プリントユニットから排出されることを検出する挿脱検出部をさらに備えてもよい。
【００３７】
前記プリントユニットにおいて、前記付勢部は、力学的に付勢する電磁石を有してもよい。
【００３８】
前記プリントユニットにおいて、前記付勢部は、弾性力により付勢力を発生させる弾性体を有してもよい。
【００３９】
前記プリントユニットにおいて、前記付勢部は、空気圧により付勢力を発生させる空気圧制御部を有してもよい。
【００４０】
前記プリントユニットにおいて、前記面発光転写部は、前記面発光体と前記感光媒体との間に配される第１の液晶シャッタを有し、前記第１の液晶シャッタのシャッタ速度及び前記面発光体の発光時間を制御することにより前記感光媒体に転写される画像の階調を調整する第１のシャッタ制御部をさらに備えてもよい。
【００４１】
前記プリントユニットにおいて、前記面発光転写部は、前記面発光体において前記第１の液晶シャッタと反対側に配される第２の液晶シャッタをさらに有し、前記第１および前記第２の液晶シャッタを個別に制御する制御部を更に備えてもよい。
【００４２】
前記プリントユニットにおいて、前記制御部は、前記面発光体が前記画像を前記プリントユニットの外部に表示するときに、前記第１の液晶シャッタを閉じ、前記第２の液晶シャッタを開いてもよい。
【００４３】
前記プリントユニットにおいて、前記制御部は、前記面発光体が前記画像を前記感光媒体に転写するときに、前記第１の液晶シャッタを開き、前記第２の液晶シャッタを閉じてもよい。
【００４４】
前記プリントユニットにおいて、前記面発光転写部は、前記面発光体において前記感光媒体と反対側に配され、光を遮断する遮断部材と、前記遮断部材において前記面発光体と反対側に配される第２の面発光体とをさらに有し、前記面発光体および前記第２の面発光体を個別に制御する制御部を更に備えてもよい。
【００４５】
前記プリントユニットにおいて、前記遮断部材は、光を選択的に透過又は遮断する液晶シャッタと、前記液晶シャッタを開くことにより光を透過させるとともに、前記液晶シャッタを閉じることにより光を遮断するシャッタ制御部とを有し、前記制御部は、前記シャッタ制御部により前記液晶シャッタを開き、前記面発光体および前記第２の面発光体の両方を発光させてもよい。
【００４６】
なお上記の発明の概要は、本発明の必要な特徴の全てを列挙したものではなく、これらの特徴群のサブコンビネーションも又発明となりうる。
【００４７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００４８】
図１は、本発明の一実施形態であるプリントユニット１０Ａの構成の概略を示す。プリントユニット１０Ａは、第１の面発光体１２、遮断部材１４、第２の面発光体１６、制御部２０、保持部６２、及び筐体６０を備える。筐体６０は、第１の面発光体１２、遮光部材１４、第２の面発光体１６、感光媒体１８、制御部２０、及び保持部６２を格納する。
【００４９】
遮断部材１４は、例えば略シート状であり、光を遮断する材料によって形成される。保持部６２は、略シート状の感光媒体１８を遮断部材１４に対して略平行に保持する。第１の面発光体１２は、例えば略シート状であり、遮断部材１４の感光媒体１８と対向する面に形成され、画像を映して感光媒体１８を露光することによって画像を感光媒体１８に転写する。図１では、第１の面発光体１２の下面は、感光媒体１８と対向し、第１の面発光体１２の上面は、遮断部材１４と接する。すなわち、プリントユニット１０Ａは、遮断部材１４を第１、２の面発光体１２、１６との間に備える。第１の面発光体１２は、画像を面状に発光することにより画像を感光媒体に面単位で転写する。そのため、プリントユニット１０Ａは、画像を感光媒体に高速で転写することができる。
【００５０】
第２の面発光体１６は、例えば略シート状であり、遮断部材１４の第１の面発光体１２が形成された面と反対側の面に形成され、画像を映すことによって画像を筐体６０の外部に表示する。第２の面発光体１６の上面は、筐体６０の外表面に接するように配置され、第２の面発光体１６の下面は、遮断部材１４と接する。そのため、第２の面発光体１６は、映した画像を筐体６０の外部に表示することができる。第１の面発光体１２及び第２の面発光体１６は、面状に発光可能なＥＬ発光体を含む。
【００５１】
制御部２０は、第１の面発光体１２及び第２の面発光体１６に接続され、第１の面発光体１２及び第２の面発光体１６の各々に画像を形成させる信号を供給する。また、制御部２０は、第１の面発光体１２及び第２の面発光体１６を個別に制御する。例えば、制御部２０は、第２の面発光体１６が筐体６０の外部に画像を表示し、同時に第１の面発光体１２が画像を感光媒体１８に転写するように制御する。すなわち、制御部２０は、第１および２の面発光体に形成される画像のうち、少なくとも一方の画像を感光媒体１８に転写する。
【００５２】
したがって、図１に示したプリントユニット１０Ａは、第１の面発光体１２が面状に発光して感光媒体を面状に露光することにより、簡単な構成によって感光媒体を高速で印刷できる。更に、プリントユニット１０Ａは、第１の面発光体１２及び第２の面発光体１６を有することにより、筐体６０の外部へ画像を表示しつつ、同時に感光媒体に画像を転写することができる。
【００５３】
図２は、プリントユニットが有する制御部２０の他の例を示す。プリントユニット１０Ｂの制御部２０は、第１および第２の面発光体１２，１６を個別に制御する。図２に示す実施形態において、制御部２０は、第１の面発光体１２に接続され、第１の面発光体１２を制御する第１の制御回路２２と、第２の面発光体１６に接続され、第２の面発光体１６を制御する第２の制御回路２４とを有する。すなわち、第１の面発光体１２及び第２の面発光体１６は、それぞれ異なる制御回路によって制御される。そのため、第１の制御回路２２が第１の面発光体１２に対して第１の画像を形成させると同時に、第２の制御回路２４が第２の面発光体１６に対して第１の画像とは異なる第２の画像を形成させることによって、第１の面発光体１２及び第２の面発光体１６にそれぞれ異なる画像を同時に映すことができる。例えば、第１の面発光体１２に感光媒体１８に転写されるべき画像を映し、第２の面発光体１６に転写済みの感光媒体１８の枚数についての情報を映すように第１の制御回路２２及び第２の制御回路２４を制御してもよい。
【００５４】
図３は、制御部２０の他の実施形態を示す。図３に示すプリントユニット１０Ｃの制御部２０は、第１の面発光体１２又は第２の面発光体１６に対して画像を形成させる制御回路２６と、第１の面発光体１２及び第２の面発光体１６へ画像を形成させる信号を切り替える切替部２８とを有する。
【００５５】
図３に示す制御部２０を用いて画像を筐体６０の外部に表示するには、制御回路２６が第１の面発光体１２及び第２の面発光体１６に画像を供給する間に、切替部２８は、制御回路２６と第１の面発光体１２とを切断し、制御回路２６と第２の面発光体１６とを接続する。そのため、制御回路２６が出力する画像が第２の面発光体１６のみに供給され、第１の面発光体１２には供給されない。したがって、切替部２８の切替動作によって第２の面発光体１６に画像が映され、第１の面発光体１２が消光する。
【００５６】
一方、図３に示す制御部２０を用いて画像を感光媒体１８に転写するには、制御回路部２６が第１の面発光体１２及び第２の面発光体１６に画像を供給する間に、切替部２８は、制御回路２６と第１の面発光体１２とを接続し、制御回路２６と第２の面発光体１６とを切断する。そのため、制御回路２６が出力する画像が第１の面発光体１２のみに供給され、第２の面発光体１６には供給されない。したがって、切替部２８の切替動作によって第１の面発光体１２に画像が映され、第２の面発光体１６が消光する。したがって、図３に示す制御部２０は、切替部２８の切替動作によって第１の面発光体１２及び第２の面発光体１６のいずれか一方に画像を映す。すなわち、制御部は、切替部２８によって第１、２の面発光体１２及び１６の各々の表示、発光、又は電源供給のＯＮ、ＯＦＦのいずれかを切り替える。
【００５７】
図４は、他の実施形態にかかるプリントユニット１０Ｄを示す。図４に示すプリントユニット１０Ｄは、図１に示すプリントユニット１０Ａの構成とは、遮断部材１４が第１の液晶シャッタ３０を有すること、および第２の面発光体１６において第１の液晶シャッタ３０と対向する面と反対側の面に第２の液晶シャッタ３２をさらに備えることが異なる。よって、図１に示すプリントユニット１０Ａと同様の構成には同じ参照番号を付し、説明を省略する。
【００５８】
図４に示す遮断部材１４は、光を選択的に透過または遮断する第１の液晶シャッタ３０と、第１の液晶シャッタ３０を開くことにより光を透過させるとともに、第１の液晶シャッタを閉じることにより光を遮断するシャッタ制御部３１とを有する。遮断部材１４は、制御部２０に接続される。そのため、第１の面発光体１２が画像を感光媒体１８に転写するときに、制御部２０は、第1の液晶シャッタ３０を開くことによって第２の面発光体１６が映す画像を第１の面発光体１２の画像と共に感光媒体１８に転写することができる。したがって、プリントユニット１０は、第１の面発光体１２が映した画像ばかりでなく、第２の面発光体１６が映した画像を同時に感光媒体１８に転写することができる。すなわち、制御部２０は、シャッタ制御部３１により第１の液晶シャッタ３０を開き、第１および第２の面発光体１２及び１６が映す各々の画像を感光媒体１８に転写することができる。
【００５９】
更に、第１の面発光体１２及び第２の面発光体１６が映す画像を感光媒体１８に転写するときに、制御部２０は、第１の面発光体１２及び第２の面発光体１６にそれぞれ異なる画像を供給することによって第1の面発光体１２が映した画像及び第２の面発光体１６が映した画像の合成画像を感光媒体１８に転写してもよい。
【００６０】
第２の液晶シャッタ３２は、第２の面発光体１６の上面に形成される。第２の液晶シャッタ３２は、感光媒体１８と対向する面に設けられるとともに、光を選択的に遮断する。プリントユニット１０Ｄは、この第２の液晶シャッタ３２を閉じることにより光を遮断する第２のシャッタ制御部３３をさらに備える。
【００６１】
ここで、第１の面発光体１２及び第２の面発光体１６が映す画像を感光媒体１８に転写するときに、制御部２０は、第２の液晶シャッタ３２を閉じることによって感光媒体１８をプリントユニット１０の外部から入射する光から保護する。すなわち、プリントユニット１０は、第１、２の面発光体１２及び１６が各々の画像を感光媒体１８に転写する場合に、制御部２０は、第２のシャッタ制御部３３により第２の液晶シャッタ３２を閉じる。また、感光媒体１８に第１の面発光体１２が映した画像のみを転写する場合に、制御部２０は、第１のシャッタ制御部３１により第１の液晶シャッタ３０を閉じることによって第２の面発光体１６が映す画像を感光媒体１８から遮断する。
【００６２】
図５は、図４の実施形態を用いたプリントユニットの他の実施形態を示す。プリントユニット５０は、被写体を撮像し、撮像した画像を制御部２０に供給する撮像部４０を有する。なお、図面を簡略化するため、制御部２０は図示しない。プリントユニット５０は、保持部としてローラ６４を用いる。２つのローラ６４は、感光媒体１８のそれぞれの端部をそれぞれ保持する。プリントユニット５０の第２の面発光体３２は、撮像時にプリントユニット５０の被写体１００に対向する面と異なる面に配置される。すなわち、図５において面発光体１２及び１６と液晶シャッタ３０及び３４との積層体は、プリントユニット５０の被写体１００に対向する側を表側として、プリントユニット５０の裏側に配置される。更に、第２の液晶シャッタ３２は、プリントユニット５０の外面に接するように配置される。
【００６３】
第２の面発光体３２は、図５に示すプリントユニット５０の裏面に限られず、プリントユニット５０の側面、上面、及び下面等の他の位置に配置されてもよい。
【００６４】
図５の構成によるプリントユニット５０によれば、第１の面発光体１２が画像を感光媒体１８に転写するときに、制御部２０が、第1の液晶シャッタ３０を開き、第２の液晶シャッタ３２を閉じることによって第２の面発光体１６が映す画像を第１の面発光体１２の画像と共に感光媒体１８に転写することができる。
【００６５】
図６は、プリントユニットの更に他の実施形態を示す。図６に示すプリントユニット１０は、図１に示すプリントユニット１０の構成に加えて、第１の面発光体１２において感光媒体１８と対向する面に設けられるとともに、光を選択的に遮断する第２の液晶シャッタ３４と、第２の液晶シャッタを閉じることにより光を遮断する第２のシャッタ制御部３５とをさらに備える。
【００６６】
遮断部材１４は、制御部２０に接続される。更に、遮断部材１４は、光を選択的に透過または遮断する第１の液晶シャッタ３０と、第１の液晶シャッタ３０を開くことにより光を透過させるとともに、第１の液晶シャッタを閉じることにより光を遮断する第１のシャッタ制御部３１とを有する。これにより、図６に示すプリントユニット１０は、感光媒体１８に画像を転写するプリンタとしてばかりでなく輝度の高いランプ又はストロボ等の発光体として用いることもできる。すなわち、制御部２０は、シャッタ制御部３１により第１の液晶シャッタ３０を開き、第１の面発光体１２及び第２の面発光体１６の両方を発光させる。
【００６７】
例えば、プリントユニット１０を輝度の高い発光体として用いるときには制御部２０は、第１の液晶シャッタ３０を開いて第１の面発光体１２が発する光を第２の面発光体１６へ向けて透過する。そのため、第１の面発光体１２が発する光が、第２の面発光体１６を介して筐体６０の外部に放出される。更に、制御部２０は、第２の液晶シャッタ３４を閉じることによって感光媒体１８を第１の面発光体１２及び第２の面発光体１６が発光する光から保護する。すなわち、制御部２０は、第１、２の面発光体１２及び１６を発光する際に、制御部２０によって第２の液晶シャッタ３４を閉じる。
【００６８】
次に、制御部２０は、第１の面発光体１２及び第２の面発光体１６を発光させる。第１の面発光体１２及び第２の面発光体１６の双方が発した光が、筐体６０の外部に放出されるのでプリントユニット１０は、輝度の高い発光体として機能することができる。
【００６９】
図７は、図６の実施形態を用いたプリントユニットの他の実施形態を示す。図７に示すプリントユニット５０は、被写体１００を撮像し、撮像した画像を制御部２０に供給する撮像部４０を有する。なお、図面を簡略化するため、制御部２０は図示しない。プリントユニット５０は、保持部としてローラ６４を用いる。２つのローラ６４は、感光媒体１８のそれぞれの端部をそれぞれ保持する。第２の面発光体１６は、撮像時にプリントユニット５０の被写体１００に対向する面に配置される。すなわち、図５において面発光体１２及び１６と液晶シャッタ３０及び３４との積層体は、プリントユニット５０の被写体１００に対向する面に配置される。
【００７０】
制御部２０は、第１の面発光体１２及び第２の面発光体１６を撮像時に被写体１００を照射するストロボとして発光させる。制御部２０は、第１の液晶シャッタ３０を開き、第２の液晶シャッタ３４を閉じて第１の面発光体１２及び第２の面発光体１６を共に発光させる。そのため、第１の面発光体１２及び第２の面発光体１６が発した光を合成して被写体１００に対して照射することができる。しかも、第２の液晶シャッタ３４を閉じることによって第１の面発光体１２及び第２の面発光体１６が発した光を合成した強い光から感光媒体１８を保護することができる。したがって、本実施形態によれば簡単な構成によって輝度の高い発光体を実現することができる。
【００７１】
上記に説明したように、本実施形態によれば簡単な構成によって感光媒体を高速で印刷でき、かつプリントユニットの外部を照らす光源を有するプリントユニットを実現することができる。更に、本実施形態のプリンタは、プリンタの外部へ画像を表示しつつ、同時に感光媒体に画像を転写することができる。
【００７２】
図８は、本発明の他の実施形態にかかるプリントユニット２００の構成の概略を示す。プリントユニット２００は、面発光転写部３００、付勢部２２０、制御部２４０、挿脱検出部２４２、及び筐体２２２を備える。
【００７３】
プリントユニット２００の面発光転写部３００は、第１の面発光体１２、遮光部材１４および第２の面発光体１６を有する。これら第１の面発光体１２、遮光部材１４および第２の面発光体１６は、図１に示すプリントユニット１０と同様であるので、説明を省略する。
【００７４】
付勢部２２０は、感光媒体２２６と面発光転写部３００とが互いに密着するように感光媒体２２６及び面発光転写部３００のいずれか一方を他方に対して付勢する。図８に示す実施形態では、付勢部２２０は、感光媒体２２６を面発光転写部３００に対して付勢する。すなわち、図８に示す実施形態では付勢部２２０は、フィルムカセット２１８の下部に設けられる。この場合、付勢部２２０は、フィルムカセット２１８の下部から感光媒体２２６を面発光転写部３００へと付勢し、感光媒体２２６を面発光転写部３００の下面に密着させる。付勢部２２０を用いて感光媒体２２６及び面発光転写部３００を密着させることにより、大きな歪を生じることなく面発光転写部３００に映された画像を感光媒体２２６に転写することができる。
【００７５】
制御部２４０は、第１の面発光体１２、第２の面発光体１６、付勢部２２０及び挿脱検出部２４２に接続される。制御部２４０が第１の面発光体１２および第２面発光体１６を制御する作用については、図１に示すプリントユニット１０の制御部と同様であるので、説明を省略する。
【００７６】
挿脱検出部２４２は、フィルムカセット２１８が挿入口２５０から筐体２２２の内部へ挿入されること、又はフィルムカセット１８が排出口２５２から筐体２２の外部へ排出されることを検出して制御部２４０に通知する。一例として挿脱検出部２４２は、物理的にフィルムカセット２１８により押される機械的なスイッチでもよい。挿脱検出部２４２の通知に基づき、制御部２４０は、付勢部２２０を制御して付勢する力を弱めることによってフィルムカセット２２６を筐体２２２へ挿入しやすいように又は筐体２２２から排出しやすいようにする。ここで、制御部２４０は、付勢部２２０の付勢する力が０となるまで弱めてもよい。
【００７７】
挿脱検出部２４２は、画像が転写された感光媒体２２６を筐体２２２から排出するときに、感光媒体２２６が排出されることを検出して制御部２４０に通知する。挿脱検出部２４２の通知に基づいて、制御部２４０は、付勢部２２０の付勢する力を弱めるように制御することにより感光媒体２２６を筐体２２２から排出しやすくする。ここで、制御部２４０は、付勢部２２０の付勢する力が０となるまで弱めてもよい。
【００７８】
ここで面発光転写部３００は、図１に示す実施形態に限られず、図２から図６に示す実施形態にかかるものであってもよい。
【００７９】
図９は、本発明のさらに他の実施形態であるプリントユニット２０２の構成の概略を示す。プリントユニット２０２は、面発光転写部３０２、付勢部２２０、制御部２４０、挿脱検出部２４２、及び筐体２２２を備える。
【００８０】
筐体２２２は、面発光転写部３０２、付勢部２２０、制御部２４０、及び挿脱検出部２４２を格納する。更に、筐体２２２は、フィルムカセット２１８を格納する。フィルムカセット２１８は、フィルム等の複数の感光媒体２２６を重ねて収容し、複数の感光媒体２２６の最外層に遮光シート２２４を収容する。筐体２２２は、面発光転写部３０２がフィルムカセット２１８の遮光シート２２４に対向するようにフィルムカセット２１８を格納する。更に、筐体２２２は、フィルムカセット２１８を筐体２２２の内部に挿入するための挿入口２５０及びフィルムカセット２１８を筐体２２２の外部へ排出するための排出口２５２を有する。
【００８１】
面発光転写部３０２は、画像を映すことによって画像を感光媒体２２６に転写する。面発光転写部３０２は、面発光体の一例としての略シート状のＥＬ発光体２１４、第１の液晶シャッタ２１６、及び第２の液晶シャッタ２１２を含む。第１の液晶シャッタ２１６は、ＥＬ発光体２１４の下面に形成される。すなわち、面発光転写部３０２は、第１の液晶シャッタ２１６を感光媒体２２６と対向する面に有する。なお第１および第２の液晶シャッタ２１６、２１２のシャッタ制御部については、図４に示す実施形態と同様であるので、図示および説明を省略する。
【００８２】
第２の液晶シャッタ２１２は、ＥＬ発光体２１４の上面に形成される。すなわち、面発光転写部３０２は、第２の液晶シャッタ２１２をＥＬ発光体２１４の第１の液晶シャッタ２１６が設けられた面と反対側の面に有する。第２の液晶シャッタ２１２の上面は、筐体２２２の外部から見えるように筐体２２２に配置される。例えば、筐体２２２の一部に筐体２２２の外部に通ずる穴を開け、この穴に第２の液晶シャッタ２１２を嵌め込むことによって第２の液晶シャッタ２１２の上面が筐体２２２の外部から視覚可能となるように、第２の液晶シャッタ２１２を配置してもよい。したがって、第２の液晶シャッタ２１２が開いたときに、ＥＬ発光体２１４が映した画像を筐体２２２の外部から見ることができる。
【００８３】
付勢部２２０は、感光媒体２２６と面発光転写部３０２とが互いに密着するように感光媒体２２６及び面発光転写部３０２のいずれか一方を他方に対して付勢する。図９に示す実施形態では、付勢部２２０は、感光媒体２２６を面発光転写部３０２に対して付勢する。すなわち、図９に示す実施形態では付勢部２２０は、フィルムカセット２１８の下部に設けられる。この場合、付勢部２２０は、フィルムカセット２１８の下部から感光媒体２２６を面発光転写部３０２へと付勢し、感光媒体２２６を面発光転写部３０２の下面に密着させる。付勢部２２０を用いて感光媒体２２６及び面発光転写部３０２を密着させることにより、大きな歪を生じることなく面発光転写部３０２に映された画像を感光媒体２２６に転写することができる。
【００８４】
制御部２４０は、第１の液晶シャッタ２１６、ＥＬ発光体２１４、及び第２の液晶シャッタ２１２に接続される。制御部２４０は、第１の液晶シャッタ２１６及び第２の液晶シャッタ２１２を個別に制御する。例えば、制御部２４０は、面発光転写部３０２に映された画像を筐体２２２の外部に表示するときに、第１の液晶シャッタ２１６を閉じ、第２の液晶シャッタ２１２を開く。そのため、感光媒体２２６を感光させることなくＥＬ発光体２１４に映された画像を、筐体２２２の外部から見ることができる。また、制御部２４０は、面発光転写部３０２に映された画像を感光媒体２２６に転写するときに、第１の液晶シャッタ２１６を開き、第２の液晶シャッタ２１２を閉じる。そのため、筐体２２２外部の光が筐体２２２の内部に入らず、ＥＬ発光体２１４が発した光のみが第１の液晶シャッタ２１６を透過して感光媒体２２６に到達する。
【００８５】
更に、制御部２４０は、第１の液晶シャッタ２１６のシャッタ速度及びＥＬ発光体２１４の発光時間を制御することによって感光媒体２２６に露光される画像の階調を調節する。
【００８６】
更に、制御部２４０は、付勢部２２０及び挿脱検出部２４２に接続される。挿脱検出部２４２は、フィルムカセット２１８が挿入口２５０から筐体２２２の内部へ挿入されること、又はフィルムカセット１８が排出口２５２から筐体２２の外部へ排出されることを検出して制御部２４０に通知する。一例として挿脱検出部２４２は、物理的にフィルムカセット２１８により押される機械的なスイッチでもよい。挿脱検出部２４２の通知に基づき、制御部２４０は、付勢部２２０を制御して付勢する力を弱めることによってフィルムカセット２２６を筐体２２２へ挿入しやすいように又は筐体２２２から排出しやすいようにする。ここで、制御部２４０は、付勢部２２０の付勢する力が０となるまで弱めてもよい。
【００８７】
更に、挿脱検出部２４２は、画像が転写された感光媒体２２６を筐体２２２から排出するときに、感光媒体２２６が排出されることを検出して制御部２４０に通知する。挿脱検出部２４２の通知に基づいて、制御部２４０は、付勢部２２０の付勢する力を弱めるように制御することにより感光媒体２２６を筐体２２２から排出しやすくする。ここで、制御部２４０は、付勢部２２０の付勢する力が０となるまで弱めてもよい。
【００８８】
図１０Ａから図１０Ｄは、プリントユニット２０２を用いたときの、プリントユニット２０２の一連の動作を示す。
【００８９】
まず、図１０Ａに示すように、フィルムカセット２１８が筐体２２２の内部に存在しないときには、制御部２４０は、第１の液晶シャッタ２１６を閉じて、第２の液晶シャッタ２１２を開き、外部表示用の画像をＥＬ発光体２１４に映す。そのため、ＥＬ発光体２１４が映した外部表示用の画像が筐体２２２の外部から見える。
【００９０】
次に、フィルムカセット２１８をプリントユニット２１０の内部に挿入すると、不図示の挿脱検出部２４２は、フィルムカセット２１８がプリントユニット２１０の内部に挿入されることを検出して不図示の制御部２４０に通知する。そこで、フィルムカセット２１８を筐体２２２の内部に挿入しやすいように制御部２４０は、プリントカセット２１８を面発光転写部３０２へ付勢する力を弱めるよう付勢部２２０を制御する。ここで、制御部２４０は、付勢部２０の付勢する力が０となるまで弱めてもよい。
【００９１】
図１０Ｂに示すように、フィルムカセット２１８が面発光転写部３０２に対向する位置に装着されると、複数の感光媒体２２６の最外層に配置された遮光シート２２４がフィルムカセット２１８から排出される。そのため、遮光シート２２４がフィルムカセット２１８から排出された後に、フィルムカセット２１８内の最外層に配置される感光媒体２６が面発光転写部３０２と対向する。次に、制御部２４０は、感光媒体２２６を面発光転写部３０２の方へ付勢する力を強めるように付勢部２２０を制御する。そのため、感光媒体２２６が面発光転写部３０２に密着する。また、遮光シート２２４を排出することによって感光媒体２２６が感光しないようにするために制御部２４０が付勢部２２０を制御して遮光シート２２４を面発光転写部３０２に付勢する力を強めた後で、遮光シート２２４をフィルムカセット２１８から排出してもよい。
【００９２】
次に、図１０Ｃに示すように、制御部２４０は、第１の液晶シャッタ２１６を開いて第２の液晶シャッタ２１２を閉じることによってＥＬ発光体２１４が発した光のみが感光媒体２２６に到達するようにする。更に、制御部２４０は、ＥＬ発光体２１４に画像を映すことによって画像を感光媒体２２６に転写する。画像が転写された感光媒体２２６は、図１０Ｂにおいて遮光シート２２４が筐体２２２から排出されたのと同様の手順で筐体２２２から排出される。また、最外層の感光媒体２２６を排出することによって下層に位置する感光媒体２２６が感光しないようにするために制御部２４０が付勢部２２０を制御して遮光シート２２４を面発光転写部３０２に付勢する力を強めた後で、感光媒体２２６を筐体２２２から排出してもよい。
【００９３】
次に、図１０Ｄに示すように、フィルムカセット２１８内の感光媒体２２６が全て消費されると、フィルムカセット２１８がプリントユニット２１０内から排出される。その際制御部２４０は、付勢部２２０のプリントカセット２１８に対する付勢力を弱め、フィルムカセット２１８がプリントユニット２０２内から排出されやすくする。ここで、制御部２４０は、付勢部２２０の付勢する力が０となるまで弱めてもよい。
【００９４】
図１１は、制御部２４０の制御フローを示す。制御部２４０は、感光媒体２２６に画像を転写しないとき、面発光転写部３０２が映す画像を筐体２２２の外部へ表示する（Ｓ１０）。制御部２４０は、感光媒体２２６に画像を転写するときに印刷ステップを実行する（Ｓ１２）。感光媒体２２６への画像の転写が終了すると、制御部２４０は、画像の外部表示を再び実行する（Ｓ１０）。以上のプロセスが繰り返し実行される。
【００９５】
図１２は、外部表示ステップＳ１０の制御フローの詳細を示す。まず、制御部２４０は、第１の液晶シャッタ２１６を閉じる（Ｓ１４）。そのため、筐体２２２の外部の光を感光媒体２２６に到達しないように遮断できる。次に、制御部２４０は、第２の液晶シャッタ２１２を開く（Ｓ１６）。そのため、ＥＬ発光体２１４が映した画像は、第２の液晶シャッタ２１２を透過して筐体２２２の外部から見える。次に、制御部２４０は、外部表示用の画像をＥＬ発光体２１４が映すことができるように変換する（Ｓ１８）。次に、ＥＬ発光体２１４は、変換された外部表示用の画像を映す（Ｓ２０）。
【００９６】
図１３は、印刷ステップＳ１２の制御フローの詳細を示す。まず、制御部２４０は、第２の液晶シャッタを閉じる（Ｓ２２）。そのため、筐体２２２の外部の光を、感光媒体２２６に到達しないように遮断することができる。次に、制御部２４０は、付勢部２２０の付勢する力２３０を弱める（Ｓ２４）。次にフィルムカセット２１８を筐体２２２の内部に挿着する（Ｓ２４）。次に、制御部２４０は、遮光シート２２４を筐体２２２から排出する（Ｓ２８）。次に、制御部２４０は、付勢部２２０の付勢する力２３０を強めることにより、感光媒体２２６を面発光転写部３０２に密着させる（Ｓ３０）。
【００９７】
次に、制御部２４０は、感光媒体２２６に転写するための画像をＥＬ発光体２１４が映すことができるように変換する（Ｓ３２）。すなわち、制御部２４０は、感光媒体２２６の正しい位置にＥＬ発光体２１４の画像が配置されるように画像を変換する。次に、制御部２４０は、感光媒体２２６が感光可能な所定の輝度を保った状態でＥＬ発光体２１４に画像を映し、感光媒体２１８に転写されるべき画像の階調に応じてＥＬ発光体２１４の各画素に対応する第１の液晶シャッタ２１６を開く（Ｓ２８）。液晶シャッタは、印加される電圧によって光量を調整できるため階調を制御することができる。そのため、ＥＬ発光体２１４が映した画像が、所定の階調で感光媒体２６に転写される（Ｓ３６）。ここで、ＥＬ発光体２１４の各画素に対応する第１の液晶シャッタ２１６を一つずつ開く必要はなく、全ての画素に対応する第１の液晶シャッタ２１６を同時に開いてもよい。
【００９８】
感光媒体２２６への画像の転写が終了した後、制御部２４０は、ＥＬ発光体２１４の各画素に対応する全ての第１液晶シャッタ２１６を閉じる（Ｓ３８）。次に、制御部２４０は、付勢部２２０の付勢する力２３０を弱め（Ｓ４０）、画像が転写された感光媒体２２６を筐体２２２から排出する（Ｓ４２）。
【００９９】
次に、制御部２４０は、感光媒体２２６への画像の転写を継続するかどうかを判断する（Ｓ４４）。感光媒体２２６への画像の転写を継続しない（Ｓ４４、ＮＯ）場合には、制御部２４０は、印刷ステップ（Ｓ１２）を終了する。感光媒体２２６への画像の転写を継続する（Ｓ４４、ＹＥＳ）場合には、制御部２４０は、全ての感光媒体２２６に画像が転写されているかどうかを判断する（Ｓ４６）。全てのフィルムカセット２１８内の感光媒体２２６に画像が転写されている（Ｓ４６、ＹＥＳ）場合には、制御部２４０は、付勢部２２０の付勢する力３０を弱め（Ｓ４８）、フィルムカセット２１８を筐体２２２の外部へ排出して（Ｓ５０）印刷ステップＳ１２を終了する。全てのフィルムカセット２１８内の感光媒体２２６に画像が転写されていない（Ｓ４６、ＮＯ）場合には、制御部２４０は、付勢部２２０の付勢する力２３０を強めるステップ（Ｓ３０）へと作業を戻す。
【０１００】
図９から図１３に説明した実施形態によれば、簡単な構成によって面発光転写部３０２に映された画像を、筐体２２２の外部に表示し、更に感光媒体２２６に転写することができる。そのため、プリンタを小型化することができる。更に、感光媒体２１８を面状に露光するため、感光媒体に画像を転写するために必要な時間が短い。更に、プリントユニット２０２が、付勢部２２０を有することによって、感光媒体２２６を面発光転写部３０２に密着させることができるので、面発光転写部３０２に映された画像を確実に感光媒体２２６に転写することができる。
【０１０１】
図１４は、他の実施形態にかかるプリントユニット２０３を示す。図９に示す実施形態では、付勢部２２０が、感光媒体２２６を面発光転写部３０２へと付勢した。一方、図１４に示すプリントユニット２０３においては、付勢部２２０が、面発光転写部３０２を感光媒体２２６に付勢する。付勢部２２０は、面発光転写部３０２の上部に設けられる。そのため、付勢部２２０は、面発光転写部３０２の上から面発光転写部３０２を感光媒体２２６に付勢することができる。付勢部２２０を用いて感光媒体２２６及び面発光転写部３０２を密着させることにより、面発光転写部３０２に映された画像を確実に感光媒体２２６に転写することができる。
【０１０２】
図１５は、さらに他の実施形態にかかるプリントユニット２０４を示す。プリントユニット２０４の面発光転写部３０３は、感光媒体２２６側に曲面を有する。具体的には、ＥＬ発光体２１４及び第1の液晶シャッタ２１６の感光媒体２２６と対向する側の面が、感光媒体２２６に対して凸型の形状である。そのため、面発光転写部３０３の感光媒体２２６と対向する側の面が平面である場合に比べて感光媒体２２６が、更に第１の液晶シャッタの表面に密着する。したがって、面発光転写部３０３に映された画像をより確実に感光媒体２２６に転写することができる。
【０１０３】
図１６は、付勢部２２０の実施形態の一例を示す。図１６に示す付勢部２２０Ａは、電流を供給することによって感光媒体２２６を面発光転写部３０２に対して力学的に付勢する複数の電磁石を有する電磁石ユニット３１０を有する。制御部２４０は、付勢部２２０Ａの付勢する力２３０を強める場合には、電磁石ユニット３１０に供給する電流を増加する。反対に、制御部２４０は、付勢部２２０Ａの付勢する力２３０を弱める場合には、電磁石ユニット３１０に供給する電流を減少する。
【０１０４】
図１７は、他の実施形態にかかる付勢部２２０Ｂを示す。図１７に示す付勢部２２０Ｂは、弾性体として感光媒体２２６の面に対して垂直に複数設けられたバネ３１２を有する。付勢部２２０Ｂは、感光媒体２２６に付勢される力を弱める場合にバネ３１２を感光媒体２２６から離れる方向に押し戻す機構３１４を有する。弾性体として例えば図１８に示すスポンジ等のバネ以外の部材を用いてもよい。
【０１０５】
図１８は、さらに他の実施形態にかかる付勢部２２０Ｃの更に他の実施形態を示す。付勢部２２０Ｃは、感光媒体２２６をＥＬ発光体２１４に付勢するスポンジ３１６等の弾性体を有する。付勢部２２０Ｃは、感光媒体２２６に付勢される力を弱める場合にスポンジ３１６を感光媒体２２６から離れる方向に押し戻す機構３１８を有する。
【０１０６】
図１９は、さらに他の実施形態にかかる付勢部２２０Ｄを示す。付勢部２２０Ｄは、感光媒体２２６をＥＬ発光体２１４に付勢する空気圧制御部を有する。図１９に示す形態では、空気圧制御部としてポンプ３２０が用いられる。制御部２４０は、付勢部２２０Ｄに与える付勢する力２３０を強める場合にはポンプ３２０を作動して感光媒体２２６に与える空気圧を増加する。反対に、制御部２４０は、付勢部２２０Ｄの感光媒体２２６に与える付勢する力２３０を弱める場合には、ポンプ３２０を止めて感光媒体２２６に与える空気圧を減少する。図１９の別の形態として感光媒体２２６と面発光転写部３０２間に存在する空気をポンプによって吸入して真空状態にすることで、感光媒体２２６と面発光転写部３０２とを密着させてもよい。
【０１０７】
付勢部２２０は、上記の図１６から図１９に示した形態に限られず、他の形態の付勢部を用いてもよい。
【０１０８】
図２０（ａ）はプリントユニットの面発光転写部の製造方法を示す正面図であり、図２０（ｂ）はその側面図を示す。面発光転写部３００Ａの製造方法において、まず第１の発光領域１２、第２の発光領域１６並びにこれら第１および第２の発光領域の間に設けられた接続部１５を有するシート状のＥＬ発光体が形成される。この実施形態において、接続部１５は中心に向かって漸次、肉薄に形成される。このＥＬ発光体の一方の面の全体に、遮光部材１４が形成される。遮光部材１４は、例えば別個に形成されてからＥＬ発光体の一面に貼りつけられる。遮光部材１４は、ＥＬ発光体の接続部１５に対応する部分に、肉薄の接続部１７を有する。その後、接続部１５，１７を中心として、遮光部材１４が向い合うように（図中矢印の方向）、第１の発光領域１２および遮光部材１４が折り曲げられる。折り曲げられることにより対向する遮光部材１４同士が接着されることにより、プリントユニットの面発光転写部３００Ａが製造される。
【０１０９】
図２１は、図２０（ａ）および図２０（ｂ）に示す製造方法により製造される面発光転写部３００Ａの側面図を示す。面発光転写部３００Ａの第１の発光領域１２および第２の発光領域１６は、それぞれ制御部２０に接続される。これにより、第１の発光領域１２および第２の発光領域１６がそれぞれ第１の発光体１２および第２の発光体１６として動作する。
【０１１０】
図２２（ａ）はプリントユニットの面発光転写部の他の製造方法を示す正面図であり、図２２（ｂ）はその側面図を示す。面発光転写部３００Ｂの製造方法において、図２０（ａ）および図２０（ｂ）に示す製造方法の場合と同様に、まず第１の発光領域１２、第２の発光領域１６並びにこれら第１および第２の発光領域の間に設けられた接続部１５を有するシート状のＥＬ発光体が形成される。このＥＬ発光体の一方の面の半分に、遮光部材１４が形成される。この実施形態にあっては、遮光部材１４が第２の発光領域１６に対応する側に形成される。その後、接続部１５を中心として、第１の発光領域１２が、遮光部材１４と向い合うように（図中矢印の方向）折り曲げられる。折り曲げられることにより対向する第１の発光領域１２と遮光部材１４とが接着されることにより、プリントユニットの面発光転写部３００Ｂが製造される。
【０１１１】
図２３は、図２２（ａ）および図２２（ｂ）に示す製造方法により製造される面発光転写部３００Ｂの側面図を示す。面発光転写部３００Ｂの第１の発光領域１２および第２の発光領域１６は、それぞれ制御部２０に接続される。これにより、第１の発光領域１２および第２の発光領域１６がそれぞれ第１の発光体１２および第２の発光体１６として動作する。
【０１１２】
なお、上記のすべての実施形態において、発光体の一例としてＥＬ発光体を説明したが、これに限られない。ＥＬ発光体の代わりに、発光ダイオード、液晶ディスプレイ、ＥＣＬ（エレクトロケミルミネッセンス）発光体等の他の発光体を用いてもよい。ＥＣＬ発光体は、例えば透明電極間に有機材料の溶液が封止される。この場合、電極に電圧がかけられることにより溶液中の有機材料同士が衝突して発光するので、ＥＣＬ発光体は独立した光源が不要であるのみならず、非発光時には透明であるので、設計の自由度が大きい。
【０１１３】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【０１１４】
【発明の効果】
上記説明から明らかなように、本発明によれば簡単な構成によって感光媒体を高速で印刷でき、かつプリントユニットの外部を照らす光源を有するプリントユニットを実現することができる。また、本発明によれば面発光体に映された画像を大きな歪を生じることなく感光媒体に転写することができる。
【図面の簡単な説明】
【図１】本発明の一実施形態であるプリントユニットの構成の概略を示す。
【図２】プリントユニットが有する制御部の詳細を示す。
【図３】制御部の他の実施形態を示す。
【図４】プリントユニットの他の実施形態を示す。
【図５】図４の実施形態を用いたプリントユニットの他の実施形態を示す。
【図６】プリントユニットの更に他の実施形態を示す。
【図７】図６の実施形態を用いたプリントユニットの他の実施形態を示す。
【図８】本発明の他の実施形態にかかるプリントユニットの構成の概略を示す。
【図９】本発明のさらに他の実施形態であるプリントユニットの構成の概略を示す。
【図１０】プリントユニットを用いたときの一連の動作を示す。
【図１１】制御部の制御フローを示す。
【図１２】外部表示ステップＳ１０の制御フローの詳細を示す。
【図１３】印刷ステップＳ１２の制御フローの詳細を示す。
【図１４】プリントユニットの他の実施形態を示す。
【図１５】プリントユニットの更に他の実施形態を示す。
【図１６】付勢部の実施形態の一例を示す。
【図１７】付勢部の他の実施形態を示す。
【図１８】プリントユニットの付勢部の更に他の実施形態を示す。
【図１９】プリントユニットの付勢部の更に他の実施形態を示す。
【図２０】（ａ）はプリントユニットの面発光転写部の製造方法を示す正面図であり、（ｂ）はその側面図を示す。
【図２１】図２０の製造方法により製造される面発光転写部の側面図を示す。
【図２２】（ａ）はプリントユニットの面発光転写部の他の製造方法を示す正面図であり、（ｂ）はその側面図を示す。
【図２３】図２２の製造方法により製造される面発光転写部の側面図を示す。
【符号の説明】
１０・・・プリンタユニット、１２・・・第１の面発光体、１４・・・遮断部材、１６・・・第２の面発光体、１８・・・感光媒体、２０・・・制御部、２２・・・第１の制御回路、２４・・・第２の制御回路２４、２６・・・制御回路、２８・・・切替部、３０・・・第１の液晶シャッタ、３２・・・第２の液晶シャッタ、４０・・・撮像部、５０・・・プリンタユニット、６０・・・筐体、６２・・・保持部、６４・・・ローラ、１００・・・被写体
【図１】
0003896409.tif 000002
【図２】
0003896409.tif 000003
【図３】
0003896409.tif 000004
【図４】
0003896409.tif 000005
【図５】
0003896409.tif 000006
【図６】
0003896409.tif 000007
【図７】
0003896409.tif 000008
【図８】
0003896409.tif 000009
【図９】
0003896409.tif 000010
【図１０】
0003896409.tif 000011
【図１１】
0003896409.tif 000012
【図１２】
0003896409.tif 000013
【図１３】
0003896409.tif 000014
【図１４】
0003896409.tif 000015
【図１５】
0003896409.tif 000016
【図１６】
0003896409.tif 000017
【図１７】
0003896409.tif 000018
【図１８】
0003896409.tif 000019
【図１９】
0003896409.tif 000020
【図２０】
0003896409.tif 000021
【図２１】
0003896409.tif 000022
【図２２】
0003896409.tif 000023
【図２３】
0003896409.tif 000024